(57)【要約】【課題】溶接工程を伴わない気密な配管連結構造を有する圧縮機及び圧縮機の配管連結方法を提供する。【解決手段】配管（２０）の端部が挿入された中空状のブッシング（３０）を配管（２０）の端部が位置する側から押込力を加えて連結孔（１０ａ）に連結した配管（２０）の連結構造を有する。圧縮機は、配管（２０）、この配管（２０）が連結される連結孔（３０ａ）と、配管（２０）の端部が挿入される挿入孔（３０ａ）、及び配管（２０）の端部が位置する側から押込力により連結孔（１０ａ）に挿入される中空状のブッシング（３０）とを含み、配管連結方法は、連結孔（１０ａ）にブッシング（３０）を押し込み、ブッシング（３０）の挿入孔（３０ａ）に配管（２０）の端部を挿入し、配管（２０）の端部が位置する側からブッシング（３０）に押込力を加えて連結孔（１０ａ）に配管（２０）を連結する。【選択図】  図５
2005105818.tif 000002
【特許請求の範囲】
【請求項１】
冷媒の流路を構成する配管の端部が挿入される挿入孔が設けられるとともに、前記配管が連結される連結孔に挿入される中空状のブッシングを有し、
前記ブッシングが、上記挿入孔に挿入された上記配管の端部が位置する側から押込力が加えられて上記連結孔に押し込まれて前記連結孔に連結された配管連結構造を有することを特徴とする圧縮機。
【請求項２】
前記ブッシングの外周面は、前記配管の端部が位置する側の外径が相対的に大きいテーパー状を有することを特徴とする請求項１記載の圧縮機。
【請求項３】
前記ブッシングが前記連結孔に押し込まれる方向は、前記冷媒の流動方向と同一であることを特徴とする請求項１記載の圧縮機。
【請求項４】
冷媒が流れる流路を構成する配管と、
前記配管に連結される連結孔と、
前記配管の端部が挿入される挿入孔が設けられるとともに、前記配管が連結される連結孔に、上記挿入孔に挿入された上記配管の端部が位置する側から押込力が加えられて上記連結孔に押し込まれて前記連結孔に連結された中空状のブッシングとを含んでなることを特徴とする圧縮機。
【請求項５】
前記ブッシングの外周面は、前記配管の端部が位置する側の外径が相対的に大きいテーパー状を有することを特徴とする請求項４記載の圧縮機。
【請求項６】
前記配管は、前記本体側から圧縮された冷媒が吐き出される流路を構成する吐出管であることを特徴とする請求項４記載の圧縮機。
【請求項７】
前記配管は、前記本体側に冷媒が吸入される流路を構成する吸入管であることを特徴とする請求項４記載の圧縮機。
【請求項８】
前記押込力が加わる方向は、前記冷媒の流動方向と同一であることを特徴とする請求項４記載の圧縮機。
【請求項９】
前記ブッシングは、黄銅材からなることを特徴とする請求項４記載の圧縮機。
【請求項１０】
連結孔にブッシングを押し込む工程と、
前記ブッシングの挿入孔に配管の端部を挿入する工程と、
前記配管の端部が位置する側から前記ブッシングに押込力を加えて前記連結孔に前記配管を連結させる工程とを含んでなることを特徴とする圧縮機の配管連結方法。
【請求項１１】
前記配管の端部は、前記ブッシングが前記連結孔に押し込まれる方向と反対方向に前記ブッシングの挿入孔に挿入されることを特徴とする請求項１０記載の圧縮機の配管連結方法。
【請求項１２】
配管の端部を連結孔に通過させてブッシングの挿入孔に挿入する工程と、
前記配管の端部が挿入された状態のブッシングを前記連結孔に挿入する工程と、
前記配管の端部が位置する側から前記ブッシングに押込力を加えて前記連結孔に前記配管を連結する工程とを含んでなることを特徴とする圧縮機の配管連結方法。
【請求項１３】
前記押込力は、冷媒の流動方向に加わることを特徴とする請求項１０又は１２記載の圧縮機の配管連結方法。
【発明の詳細な説明】
【０００１】
【発明の属する技術分野】
本発明は、圧縮機及び圧縮機の配管連結方法に係り、より詳しくは冷媒が流れる配管を連結孔に連結する構造を有する圧縮機及び圧縮機の配管連結方法に関する。
【０００２】
【従来の技術】
圧縮機は、大韓民国特許出願第１０２０００００７５１２９号及び同第１０１９９９００６４２４８号などの多数の文献に開示されているように、モータ部と前記モータ部から動力を受けて冷媒を圧縮する圧縮室とを有する圧縮部と、前記圧縮室で圧縮された高圧の冷媒が吐き出される場合、吐出脈動による騒音を減らすための吐出マフラーと、前記吐出マフラーに形成された吐出孔に連結され、外部へ吐き出される冷媒を流路を提供する吐出管と、前記圧縮室に吸入される冷媒の吸入騒音を減らすための吸入マフラーと、前記吸入マフラーに形成された吸入孔に連結され、外部から吸入される冷媒の流路を構成する吸入管とから構成される。前記吐出管及び吸入管は上述のように冷媒の流路を構成する配管であり、本出願人の先出願発明である大韓民国特許出願第１０２００１００１１８３５号などに開示されたように、圧縮機によっては吐出管及び吸入管のほかにも、必要によって少なくとも一つ以上の配管をさらに有する場合もある。
【０００３】
【特許文献１】
大韓民国特許出願第１０２０００００７５１２９号
【特許文献２】
大韓民国特許出願第１０１９９９００６４２４８号
【特許文献３】
大韓民国特許出願第１０２００１００１１８３５号
【０００４】
【発明が解決しようとする課題】
ところが、前記配管の連結構造は、大韓民国実用新案登録出願第２０１９９８００２６６１０号などに開示されたように、配管連結部位の密閉のための溶接工程を必然的に有するため、連結工程が複雑になるばかりか、溶接による費用があまりに高くなる問題点と、溶接時の諸般条件（熱応力の発生など）によって溶接部位の堅牢度が十分得られなくなり、連結部位の密閉力が低下してしまう問題点などがある。
【０００５】
したがって、本発明は、前述したような問題点を解決するためになされたもので、本発明の目的は、溶接工程を伴わない配管連結構造を有する圧縮機及び圧縮機の配管連結方法を提供することにある。
【０００６】
【課題を解決するための手段】
前記目的を達成するため、本発明は、冷媒の流路を構成する配管の端部が挿入される挿入孔が設けられるとともに、前記配管が連結される連結孔に挿入される中空状のブッシングを有し、前記ブッシングが、上記挿入孔に挿入された上記配管の端部が位置する側から押込力が加えられて上記連結孔に押し込まれて前記連結孔に連結された配管連結構造を有する圧縮機を提供する。
【０００７】
前記ブッシングの外周面は、前記配管の端部が位置する側の外径が相対的に大きいテーパー状を有し得る。
【０００８】
前記ブッシングが前記連結孔に押し込まれる方向は、前記冷媒の流動方向と同一であり得る。
【０００９】
また、本発明は、冷媒が流れる流路を提供する配管と、前記配管に連結される連結孔と、前記配管の端部が挿入される挿入孔が設けられるとともに、前記配管が連結される連結孔に、上記挿入孔に挿入された上記配管の端部が位置する側から押込力が加えられて上記連結孔に押し込まれて前記連結孔に連結された中空状のブッシングとを含んでなることを特徴とする圧縮機を提供する。
【００１０】
前記ブッシングの外周面は、前記配管の端部が位置する側の外径が相対的に大きいテーパー状を有し得る。
【００１１】
前記配管は、前記本体側から圧縮された冷媒が吐き出される流路を提供する吐出管である。また、前記配管は、前記本体側に冷媒が吸入される流路を構成する吸入管である。前記押込力が加わる方向は、前記冷媒の流動方向と同一とされる。
【００１２】
前記ブッシングは、黄銅材により形成されたものが用いられる。
【００１３】
また、本発明は、連結孔にブッシングを押し込む工程と、前記ブッシングの挿入孔に配管の端部を挿入する工程と、前記配管の端部が位置する側から前記ブッシングに押込力を加えて前記連結孔に前記配管を連結させる工程とを含んでなる圧縮機の配管連結方法を提供することにある。
【００１４】
前記配管の端部は、前記ブッシングが前記連結孔に押し込まれる方向と反対方向に前記ブッシングの挿入孔に挿入される。前記押込力は、冷媒の流動方向に加えられる。
【００１５】
また、本発明は、配管の端部を連結孔に通過させてブッシングの挿入孔に挿入する工程と、前記配管の端部が挿入された状態のブッシングを前記連結孔に挿入する工程と、前記配管の端部が位置する側から前記ブッシングに押込力を加えて前記連結孔に前記配管を連結する工程とを含んでなる圧縮機の配管連結方法を提供する。ここで、前記押込力は、冷媒の流動方向に加わる。
【００１６】
【発明の実施の形態】
以下、本発明による好ましい実施例を、添付図面に基づいて詳細に説明する。
【００１７】
以下に説明する実施例は、圧縮室から吐き出される高圧冷媒の吐出脈動による騒音を低減させるために設けられる吐出マフラーと、前記吐出マフラーに形成された吐出孔（圧縮機に形成される連結孔の一例である）に気密に連結される吐出管（圧縮機に構成される配管の一例である）の連結の構造に関する。
【００１８】
図１は、本発明の実施例を説明するための圧縮機の主要部品の分解斜視図であり、図２は図１の主要部品が結合された状態を示す斜視図であり、図３は図２の断面図である。
【００１９】
図１ないし図３に示すように、本実施例による圧縮機は、圧縮室で圧縮された高圧冷媒の吐出脈動による騒音を低減させるために設けられる吐出マフラー１０と、吐出マフラー１０の吐出孔１０ａに気密に連結される吐出管２０と、吐出管２０を吐出孔１０ａに気密に連結するために設けられる中空体のブッシング３０とを主要部品として含む。
【００２０】
図１及び図３に示すように、ブッシング３０は、吐出管２０の端部２０ａが挿入される挿入孔３０ａが形成された断面中空状に形成され、吐出マフラー１０の吐出孔１０ａに強制的に押し込み嵌合される。なお、挿入孔３０ａは、一端から他端に亘って同径に形成されている。
【００２１】
このブッシング３０は、図３に示すように、挿入孔３０ａに挿入された吐出管２０の端部が吐出マフラー１０の内部空間に位置するようにして、吐出マフラー１０の吐出孔１０ａに強制的に押し込み嵌合される。ブッシング３０の外周面３０ｂは、吐出管２０の端部が位置する側の外径が他方の側の外径より大きいテーパー状に形成されている。すなわち、ブッシング３０の外周面３０ｂは、図示のように、吐出管３０の端部が位置する側の外径が吐出孔１０ａの直径より大きく、他方の側は吐出孔１０ａの直径より小さく構成されている。したがって、ブッシング３０は、吐出マフラー１０の内側空間から外側に向かって強制的に圧縮するようにして押し込まれている。ここで、高圧の冷媒は、図３に矢印で示す方向に流れるので、ブッシング３０を吐出孔１０ａに押し込む方向は、高圧冷媒の圧力による連結構造の堅牢性を考慮して、本実施例のように冷媒が流れる方向と同一方向にすることが好ましい。
【００２２】
以下、図４乃至図６に基づいて本発明の実施例による配管連結方法について説明する。
【００２３】
まず、吐出孔１０ａにブッシング３０を押し込むが、この押し込み作用について順次説明する。
【００２４】
第１の過程として、図４に示すように、ブッシング３０を吐出マフラー１０の内側から外側方向に向かって押し込む。
【００２５】
次に、図５に示すように、吐出管２０を吐出マフラー１０の外側から内側方向に向かってブッシング３０の挿入孔３０ａに挿入する。すなわち、吐出管２０は、上述の第１の過程でブッシング３０が吐出孔１０ａに押し込まれる方向とは反対の方向に、ブッシング３０の挿入孔３０ａに押し込まれる。
【００２６】
本発明においては、上述の第１の過程及び第２の過程は多様な応用可能性を有する。その一応用例において、ブッシング３０を吐出マフラー１０の内側に位置させ、吐出管２０を連結孔１０ａに通過させた後、ブッシング３０の挿入孔３０ａに挿入し、ブッシング３０を吐出孔１０ａに挿入させることもできる。
【００２７】
前述の第２の過程の後、図６に示すように、吐出マフラー１０の内側から、図６中破線で示す外側方向に治具などを用いてブッシング３０を吐出孔１０ａに強制的に押し込む。このような強制的な押し込みにより、ブッシング３０の外周面３０ｂが吐出孔１０ａに気密に接触するとともに、ブッシング３０の挿入孔３０ａが吐出管２０の外面に気密に接触するように堅固に結合される。すなわち、吐出孔１０ａとブッシング３０の外周面３０ｂ間、及び吐出管２０とブッシング３０の挿入孔３０ａの内周面との間が堅固にかつ気密に結合される。
【００２８】
したがって、ブッシング３０は、このブッシング３０を把持し押し込む治具などから加わる強制的な押込力によっても壊れないとともに吐出孔１０ａ及び吐出管２０に気密に接触しなければならないので、延性及び展性を有する金属が好ましいく、特に製造単価の面を考慮すると銅材が好ましい。また、適当な延性及び展性を有するとともに、連結部の堅牢性を維持するためには、黄銅材がより好ましい。
【００２９】
一方、吐出孔１０ａにブッシング３０を強制に押し込むとき、ブッシング３０の挿入孔３０ａに挿入された吐出管２０の端部、本実施例では吐出マフラー１０の内側から外側に押込力を加えるのは、次のような理由による。
【００３０】
第１は、高圧冷媒の流動方向を考慮して連結部位の堅牢性を維持するためである。一般に、高圧冷媒は周囲から高圧を加えると流れるので、もし冷媒の流動方向と反対の方向にブッシング３０が押込まれた場合は、冷媒の高圧により連結部位の堅牢性及び気密性が既存する危険があるからである。
【００３１】
第２は、治具などによりブッシング３０に押込力を加える場合、作業工程の困難性を考慮したものである。すなわち、本実施例のように、吐出管２０の端部が位置する部分に押込力を加える場合には一層簡便に押し込み工程が行えるが、吐出管２０が長く延長された部位に押込力を加えると、吐出管２０が作業に邪魔となり、場合によっては吐出管２０の損傷をもたらし得るからである。
【００３２】
以上、本発明を図１乃至図６示す実施例に基づいて説明したが、前述の実施例は本発明の好ましい例を説明したのみであり、本発明が前述の実施例に限定されるものとして理解されるものではない。すなわち、本発明は、吐出マフラーの吐出孔と吐出管の連結構造に限定されてるものではない。
【００３３】
したがって、本発明の技術的思想は、圧縮機に設けられる全ての配管（吐出管、吸入管など）とこの配管が連結される連結孔（吐出マフラーの吐出孔、吸入マフラーの吸入孔など）間の連結を必要とする全ての構造に適用できるものである。
【００３４】
このような点から見て、本発明が属する技術分野に通常知識を持った者であれば、本発明の実施例についての説明のみからも前述の実施例と同一範疇内のほかの形態の発明を実施することができるであろう。
【００３５】
【発明の効果】
以上詳細に説明したように、本発明によると、従来の必然的な過程であった溶接工程が省かれて生産工程が単純化し、製造単価が低くなり、結合部位の気密性が向上する効果が得られる。
【図面の簡単な説明】
【図１】本発明の実施例による圧縮機に要求される主要部品の分解斜視図である。
【図２】図１の主要部品の結合状態を示す斜視図である。
【図３】図２に示す収容部品の結合状態を示す断面図である。
【図４】図１に示す主要部品の結合過程を示す工程図であり、ブッシングを吐出孔に押し込む状態を示す断面図である。
【図５】吐出孔に挿入されたブッシングに吐出管を挿入する状態を示す断面図である。
【図６】吐出管が挿入されたブッシングを間を吐出孔に強制的に押し込んだ状態を示す断面図である。
【符号の説明】
１０  吐出マフラー
１０ａ  吐出孔
２０  吐出管
２０ａ  端部
３０  ブッシング
３０ａ  挿入孔
３０ｂ  外周面
【図１】
2005105818.tif 000003
【図２】
2005105818.tif 000004
【図３】
2005105818.tif 000005
【図４】
2005105818.tif 000006
【図５】
2005105818.tif 000007
【図６】
2005105818.tif 000008